(57)【要約】      （修正有）【課題】従来の丸環に代えて装身具本体の円形連結具ないし宝石収容部の円形連結具のいずれかもしくは両方を薄肉の板材で構成したものであり、宝石の小刻みな揺動に変化を持たせ、宝石を小刻みにかつ不規則に揺動させることができる身飾品を提供する。【解決手段】この考案の身飾品の一例のネックレス１０は、円形連結具１２を取り付けた装身具本体を構成するネックレス本体１１と、宝石１４を収納し、かつ適所に円形連結具１５を取り付けた宝石収容部１３とを備え、宝石収容部１３が揺動するように各円形連結具１２，１５どうしを連結した身飾品において、ネックレス本体１１の円形連結具１２ないし宝石収容部１３の円形連結具１５のいずれかもしくは両方を、薄肉の板材で構成したことを特徴とするものである。【選択図】図１
0003206308.tif 000002
【実用新案登録請求の範囲】
【請求項１】
円形連結具を取り付けた装身具本体と、宝石を収納し、かつ適所に円形連結具を取り付けた宝石収容部とを備え、前記宝石収容部が揺動するように前記各円形連結具どうしを連結した身飾品において、
前記装身具本体の円形連結具ないし前記宝石収容部の円形連結具のいずれかもしくは両方を、厚さが０．３ｍｍ以下の薄肉の板材で構成することにより、この薄肉の板材の端部の角が他方の円形連結具とこすれた際に非常に微細な振動が発生し、かつ薄肉の板材そのものの撓みや振動することを利用して、宝石が極めて微細に揺動するようにしたことを特徴とする身飾品。
【請求項２】
前記装身具本体の円形連結具ないし前記宝石収容部の円形連結具は、そのいずれかもしくは両方の内径部分に所定深さの凹みが形成され、かつ該凹みが円弧状の輪郭をなしていることを特徴とする請求項１に記載の身飾品。
【請求項３】
前記装身具本体の円形連結具ないし前記宝石収容部の円形連結具は、そのいずれかもしくは両方の内径部分に所定深さの凹みが形成され、かつ該凹みが有底の凹部状の輪郭をなしていることを特徴とする請求項１に記載の身飾品。
【考案の詳細な説明】
【技術分野】
【０００１】
本考案は、宝石を収納した宝石収容部が小刻みに揺動する身飾品に関するものである。
【背景技術】
【０００２】
従来、ＷＯ２００３／０７７６９９（特許文献１参照）や特開２０１３−１６３０３９号公報（特許文献２参照）のように、ダイヤモンド等の宝石を収納した宝石収容部を揺動可能に支持する指輪等がある。このように宝石を揺動させることで、揺動させない場合に比べて宝石をより輝いて見せることができる。
【０００３】
ところで、上述のようなダイヤモンド等の宝石を収納した宝石収容部を揺動可能に支持する指輪等においては、所定の間隔で丸環を取り付けた装身具本体と、宝石を収納し、かつ適所に前記丸環に対応する位置に丸環を取り付けた宝石収容部とを、前記丸環どうしで連結することによって宝石が小刻みに揺動するようになっている。
上述のように構成することによって、宝石が小刻みに揺動する指輪等が得られるのであるが、前記丸環どうしで連結しているために結局は律動的であって、その動きに変化が乏しく見えてしまうという問題があった。
そこで本考案者は、特願２０１３−１９７２５３号（特開２０１５−６２４９１号公報、特許文献３参照）の考案を提案した。
この考案の身飾品は、丸環を取り付けた装身具本体と、宝石を収納し、かつ適所に丸環を取り付けた宝石収容部とを備え、前記宝石収容部が揺動するように前記各丸環どうしを連結した身飾品において、前記装身具本体の丸環ないし前記宝石収容部の丸環のいずれかの内径部分に、該丸環の長さ方向に沿って所定深さの凹みを形成したことを特徴とするものである。
【先行技術文献】
【特許文献】
【０００４】
【特許文献１】ＷＯ２００３／０７７６９９
【特許文献２】特開２０１３−１６３０３９号公報
【特許文献３】特開２０１５−６２４９１号公報（特願２０１３−１９７２５３号）
【考案の概要】
【考案が解決しようとする課題】
【０００５】
ところで、上述のようなダイヤモンド等の宝石を収納した宝石収容部を揺動可能に支持する指輪等においては、所定の間隔で丸環を取り付けた装身具本体と、宝石を収納し、かつ適所に前記丸環に対応する位置に丸環を取り付けた宝石収容部とを、前記丸環どうしで連結することによって宝石が小刻みに揺動するようになっている。
しかしながら、結局は丸環どうしで連結しているために動きが律動的であって、その動きに変化が乏しく見えてしまうという問題があった。
【０００６】
本考案は以上のような問題を解消するためになされたものであり、従来の丸環に代えて、前記装身具本体の円形連結具ないし前記宝石収容部の円形連結具のいずれかもしくは両方を薄肉の板材で構成したものであり、宝石の小刻みな揺動に変化を持たせ、宝石を小刻みにかつ不規則に揺動させることができる身飾品を提供することを目的とする。
【課題を解決するための手段】
【０００７】
上述した従来技術の問題点を解決するために本考案の身飾品は、円形連結具を取り付けた装身具本体と、宝石を収納し、かつ適所に円形連結具を取り付けた宝石収容部とを備え、前記宝石収容部が揺動するように前記各円形連結具どうしを連結した身飾品において、
前記装身具本体の円形連結具ないし前記宝石収容部の円形連結具のいずれかもしくは両方を、厚さが０．３ｍｍ以下の薄肉の板材で構成することにより、この薄肉の板材の端部の角が他方の円形連結具とこすれた際に非常に微細な振動が発生し、かつ薄肉の板材そのものの撓みや振動することを利用して、宝石が極めて微細に揺動するようにしたことを特徴とするものである。
【０００８】
本考案の身飾品において、前記装身具本体の円形連結具ないし前記宝石収容部の円形連結具は、そのいずれかもしくは両方の内径部分に所定深さの凹みが形成され、かつ該凹みが円弧状の輪郭をなしていることをも特徴とするものである。
【０００９】
本考案の身飾品において、前記装身具本体の円形連結具ないし前記宝石収容部の円形連結具は、そのいずれかもしくは両方の内径部分に所定深さの凹みが形成され、かつ該凹みが有底の凹部状の輪郭をなしていることをも特徴とするものである。
【考案の効果】
【００１０】
本考案は以上のよう構成することにより、円形連結具を取り付けた装身具本体と、前記円形連結具に連結される円形連結具を取り付けた宝石収容部とを前記連結具どうしで連結する構造であって、かつ前記装身具本体の円形連結具ないし前記宝石収容部の円形連結具のいずれかもしくは両方を、薄肉の板材で構成したことによって宝石の小刻みな揺動に思いがけない変化を持たせ、宝石を小刻みにかつ不規則に揺動させることができる身飾品を提供することが可能となった。
【図面の簡単な説明】
【００１１】
【図１】本考案の身飾品をネックレスに適用した実施例を示す正面図である。
【図２】その背面図である。
【図３】その側面図である。
【図４】その斜視図である。
【図５】その要部拡大正面図である。
【図６】その断面図である。
【図７】その変形例の要部拡大側面図である。
【図８】その断面図である。
【図９】本考案の身飾品をイヤリングに適用した実施例を示す正面図である。
【図１０】その側面図である。
【図１１】宝石収容部を装身具本体に取り付ける前の段階を示す正面図である。
【図１２】その側面図である。
【図１３】その斜視図である。
【図１４】要部拡大正面図である。
【図１５】前記実施例の変形例を示す要部拡大正面図である。
【図１６】他の実施例を示す要部拡大正面図である。
【図１７】その要部拡大断面図である。
【図１８】その変形例を示す要部拡大断面図である。
【図１９】円形連結具どうしの挙動を示す概略平面図である。
【考案を実施するための形態】
【００１２】
以下、本考案の身飾品の実施形態を図面に基いて詳細に説明する。
＜第１実施形態＞
図１は本考案の身飾品をネックレスに適用した第１の実施例を示す正面図、図２はその背面図、図３はその側面図、図４はその斜視図、図５はその要部拡大正面図、図６はその断面図、図７は変形例の要部拡大側面図、図８はその断面図である。
すなわち、図１ないし図６において、本実施例のネックレス１０は円形連結具１２を同じ向きに取り付けた装身具本体を構成するネックレス本体１１と、宝石１４を収納し、かつ適所に円形連結具１５を取り付けた宝石収容部１３とを備えており、かつ前記宝石収容部１３が揺動するように前記各円形連結具１２，１５どうしを連結したものである。
【００１３】
本考案においては、前記ネックレス本体１１の円形連結具１２ないし前記宝石収容部１３の円形連結具１５のいずれかもしくは両方を、厚さが０．３ｍｍ以下、好ましくは０．１５ｍｍ以下のごく薄肉の板材で構成したことを特徴としている。
そして、円形連結具１２（薄肉の板材）の内径部分において前記宝石収容部１３の円形連結具１５（薄肉の板材）の端部の角がこすれながらスライドすることから、薄肉の板材によるその厚さ方向へぎこちなく擦れながら動くことにより宝石１４の非常に微細な揺動を得ることができる。もちろん、ごく薄肉の板材そのものも非常に薄いためそれ自体が撓んだり振動したりすることとなって、同様に宝石１４の非常に微細な揺動を得ることができる。
そして例えば、上部の円形連結具１２の振動が下部の円形連結具１５に伝達されてより大きな振動となるのである。
【００１４】
なお、図１ないし図４において１１ａは宝石であり、爪１１ｂ等によって装身具本体１１の表面に適宜配置されている。
また、１６ａ，１６ｂは装身具本体１１の背面上部に突出するよう左右対称に取り付けたチェーンＣを挿通する吊下げ枠、１６ｃはネックレス本体１１の背面下部に前記チェーン挿通枠の突出部分と同じ幅になるよう取り付けたスペーサである。
【００１５】
もちろん、図７および図８に示すように、前記ネックレス本体１１の円形連結具１２の宝石収容部１３の円形連結具１５を取り付ける内径部分に円弧状の凹み１５ａを設けることができる。
こうすることによって、図７および図８に示すように、円形連結具１２（薄肉の板材）の内径部分において前記宝石収容部１３の円形連結具１５（薄肉の板材）がスライドしつつ、薄肉の板材によるその厚さ方向へぎこちなく擦れながら動くことにより宝石１４の非常に微細な揺動を得ることができる。
また、前記円形連結具１５（薄肉の板材）の凹み１５ａがあることにより、前記凹み１５ａの長さ方向に移動することは勿論、薄肉の板材で構成されている凹み１５ａの側面で回動する方向（ひねり方向）にも挙動する。
したがって、宝石１４の非常に微細な揺動に、さらに複雑な変化をもたらすことが可能となる。
なお、図１ないし図８における本実施例においては、ネックレス本体１１に対して円形連結具１２を同じ向きに取り付けているが、ネックレス本体１１に対する円形連結具１２の取付方向を直角、あるいはその他の角度としてもよいことは勿論である。
【００１６】
＜第２実施形態＞
図９は本考案の身飾品をイヤリングに適用した第２の実施例を示す正面図、図１０はその側面図、図１１は宝石収容部をイヤリング本体に取り付ける前の段階を示す正面図、図１２はその側面図、図１３はその斜視図、図１４は要部拡大正面図である。
すなわち、本実施例のイヤリング２０は円形連結具２２を取り付けた装身具本体を構成するイヤリング本体２１と、宝石２４を収納し、かつ適所に円形連結具２５を取り付けた宝石収容部２３とを備えており、かつ前記宝石収容部２３が揺動するように前記各円形連結具２２，２５どうしを連結したものである。
本考案においては、前記イヤリング本体２１の円形連結具２２ないし前記宝石収容部２３の円形連結具２５のいずれかもしくは両方を、薄肉の板材で構成したことを特徴としている。そして薄肉の板材を用いたことによる振動を原理は前記００１３に記載した通りである。
そしてこのように構成したイヤリング２０において、前記イヤリング本体２１の円形連結具２２における前記宝石収容部２３の円形連結具２５を取り付ける内径部分に、該円形連結具２２の長さ方向に沿って所定深さの凹み２２ａを形成している。
【００１７】
本実施例のイヤリング２０において、前記イヤリング本体２１の円形連結具２２における前記宝石収容部２３の円形連結具２５を取り付ける内径部分に形成した所定深さの凹み２２ａは、有底のテーパ状の輪郭をなしていることが望ましい。
また、図１５に示すように、前記イヤリング本体２１の円形連結具２２における宝石収容部２３の円形連結具２５を取り付ける内径部分に形成した所定深さの凹み２２ｂとして、有底の凹部状の輪郭をなしていることもできる。
もちろん、前記凹み２２ａ、２２ｂ等の輪郭として、円弧状や有底のテーパ状、有底の凹部状以外の、波形その他の適宜輪郭を採用してもよい。
また、前記宝石収納部２３の円形連結具２５における前記イヤリング本体２１の円形連結具２２に取り付けられる内径部分に、所定深さの凹み２５ａを形成することもできる。
【００１８】
こうすることによって、円形連結具２２（薄肉の板材）の内径部分において前記宝石収容部２３の円形連結具２５（薄肉の板材）が摺動して、薄肉の板材によるその厚さ方向へぎこちなく擦れながら動くことにより宝石２４の非常に微細な揺動を得ることができる。
また、円形連結具２２（薄肉の板材）の凹み２２ａおよび前記円形連結具２５（薄肉の板材）の凹み２５ａがあることにより、前記凹み２２ａ，２５ａの長さ方向に移動することは勿論、薄肉の板材で構成されている凹み２２ａ，２５ａの側面で回動する方向（ひねり方向）にも挙動する。
したがって、宝石２４の非常に微細な揺動に、さらに複雑な変化をもたらすことが可能となる。
【００１９】
＜第３実施形態＞
図１６は本考案の身飾品をイヤリングに適用した第３の実施例を示す正面図、図１７はその要部拡大断面図である。
第３の実施例のイヤリングも、円形連結具３２を取り付けたイヤリング本体（図示省略）３１と、宝石３４を収納し、かつ適所に円形連結具３５を取り付けた宝石収容部３３とを備えており、かつ前記宝石収容部３３が揺動するように前記各円形連結具３２，３５どうしを連結したものである。
本考案においては、前記ネックレス本体３１の円形連結具３２ないし前記宝石収容部３３の円形連結具３５のいずれかもしくは両方を、薄肉の板材で構成したことを特徴としている。そして薄肉の板材を用いたことによる振動を原理は前記００１３に記載した通りである。
このように構成したイヤリングにおいて、前記イヤリング本体３１の円形連結具３２における前記宝石収容部３３の円形連結具３５を取り付ける内径部分に、該円形連結具３２の長さ方向に沿って所定深さの凹み３２ａを形成した点は上記実施例と同様である。
【００２０】
本実施例においては、前記イヤリング本体３１の円形連結具３２に形成した所定深さの凹み３２ａにおける、前記宝石収容部３３の円形連結具３５の対応部位にも凹み３５ａを形成している。
こうすることによって、円形連結具３２（薄肉の板材）の内径部分において前記宝石収容部３３の円形連結具３５（薄肉の板材）が摺動して、薄肉の板材によるその厚さ方向へぎこちなく擦れながら動くことにより宝石３４の非常に微細な揺動を得ることができる。
また、円形連結具３２（薄肉の板材）の凹み３２ａおよび前記円形連結具３５（薄肉の板材）の凹み３５ａがあることにより、前記凹み３２ａ，３５ａの長さ方向に移動することは勿論、薄肉の板材で構成されている凹み３２ａ，３５ａの側面で回動する方向（ひねり方向）にも挙動する。
したがって、宝石３４の非常に微細な揺動に、さらに複雑な変化をもたらすことが可能となる。
【００２１】
図１８はさらにその変形例を示すものであり、両方の円形連結具４２，４５が互いに係合する凹み４２ａ，４５ａのそれぞれを、テーパ状断面としたものである。
こうすることによって、図１９に示すように円形連結具４２の凹み４２ａ（テーパ状断面）内において前記宝石収容部の円形連結具４５のテーパ状断面の凹み４５ａは、凹み４２ａ，４５ａの長さ方向に移動することは勿論、細幅に形成されている凹み４２ａ，４５ａの側面で回動する方向（円弧状矢印）にも挙動する。
したがって、宝石の小刻みな揺動に、さらに複雑な変化をもたらすことが可能となる。
【産業上の利用可能性】
【００２２】
本考案は、宝石を支持する支持部材が揺動できるようにした種々の身飾品に適用可能である。
また、前記実施例においてはネックレスやイヤリングに適用した場合を例示したが、ネックレスやイヤリング以外の各種の身飾品に適用できることはいうまでもない。
さらに、装身具本体と宝石を収納した宝石収容部に取り付ける円形連結具の数も１個には限られず、所定間隔で一対、あるいはそれ以上の数の円形連結具を取り付けることができる。
【符号の説明】
【００２３】
１０  ネックレス
１１  ネックレス本体
１１ａ  宝石
１１ｂ  爪
１２  円形連結具
１３  宝石収容部
１４  宝石
１５  円形連結具
１５ａ  凹み
１６ａ，１６ｂ  吊下げ枠
１６ｃ  スペーサ
Ｃ  チェーン
２０  イヤリング
２１  イヤリング本体
２２  円形連結具
２２ａ，２２ｂ  凹み
２３  宝石収容部
２４  宝石
２５  円形連結具
２５ａ  凹み
３１  イヤリング本体
３２  円形連結具
３２ａ  凹み
３３  宝石収容部
３４  宝石
３５  円形連結具
３５ａ  凹み
Ｔ  テーパ状断面
４２  円形連結具
４２ａ  凹み
４５  円形連結具
４５ａ  凹み
【図１】
0003206308.tif 000003
【図２】
0003206308.tif 000004
【図３】
0003206308.tif 000005
【図４】
0003206308.tif 000006
【図５】
0003206308.tif 000007
【図６】
0003206308.tif 000008
【図７】
0003206308.tif 000009
【図８】
0003206308.tif 000010
【図９】
0003206308.tif 000011
【図１０】
0003206308.tif 000012
【図１１】
0003206308.tif 000013
【図１２】
0003206308.tif 000014
【図１３】
0003206308.tif 000015
【図１４】
0003206308.tif 000016
【図１５】
0003206308.tif 000017
【図１６】
0003206308.tif 000018
【図１７】
0003206308.tif 000019
【図１８】
0003206308.tif 000020
【図１９】
0003206308.tif 000021